(57)【特許請求の範囲】
【請求項１】
筐体（１０）を有する電磁接触器であって、前記筐体（１０）は、基本装置（２）およびそれと一体に組み立てられた外被装置（３）とにより形成され、且つ、電源電極と、コイル（５１）を有するソレノイドと、を収容しており、さらにコイル本体が一方の側に第１及び第２電源供給端子（Ａ１，Ａ２）を有し、さらに前記筐体（１０）が前記基本装置と前記外被装置との間に、電源供給端子を受けるように構成された第１のハウジング外被（１２）を有した、前記電磁接触器において、
筐体（１０）には、同様に基本装置と外被装置との間に形成され且つ第１の外被（１２）と実質的に同一の断面を有する、第２の外被（１３）が、第１の外被（１２）に対して前記コイル（５１）の中心を通る軸のまわりに対称的に、コイルを巻いた後に、コイルの端子を設けた側を受けることができるように、配置されており、端子を受ける側と反対側の外被が閉鎖されていることを特徴とする電磁接触器。
【請求項２】
請求項１記載の電磁接触器であって、前記コイル本体が前記電源供給端子と同一の側に２つの追加の第３及び第４電源供給端子（Ａ１’，Ａ２’）を有し、前記追加の第３及び第４電源供給端子（Ａ１’，Ａ２’）の一方が第１及び第２電源供給端子（Ａ１，Ａ２）の一方と、前記追加の第３及び第４電源供給端子（Ａ１’，Ａ２’）の他方が第１及び第２電源供給端子（Ａ１，Ａ２）の他方と電気的に接続されていることを特徴とする電磁接触器。
【請求項３】
請求項２記載の電磁接触器であって、前記第３、第１、第４、第２電源供給端子（Ａ１’，Ａ１，Ａ２’ ，Ａ２）はこの順に並んでおり、接触器が３極端子を有するときに、２つの端子対の１つとしての第１及び第２電源供給端子（Ａ１，Ａ２）が利用可能であり、また接触器が４極端子を有するときに第２の端子対としての第３及び第４電源供給端子（Ａ１’，Ａ２’）が利用可能であるように、構成されていることを特徴とする電磁接触器。
【請求項４】
前記請求項のいずれかに記載の電磁接触器であって、外被（１２，１３）が筐体（１０）の横断壁（１１）に対して相対的に突出していることを特徴とする電磁接触器。
【請求項５】
請求項２または３に記載の電磁接触器であって、第１及び第３電源供給端子（Ａ１，Ａ１’）がコイル本体の並列導体（５４ａ）の末端にあり、第２及び第４電源供給端子（Ａ２，Ａ２’）がコイル本体の並列導体（５４ｂ）の端末にあることを特徴とする電磁接触器。
【請求項６】
請求項２または３に記載の電磁接触器であって、各外被（１２または１３）が上面に開口部（１４）を有し、また縦方向の仕切り壁（１５）に開口部（１９）を有することを特徴とする電磁接触器。
【請求項７】
請求項６に記載の電磁接触器であって、各外被（１２または１３）が隔壁（１７）を有して仕切り空間（１８）を形成し、前記仕切り空間（１８）は、開口部（１９）への利用を可能にし、またその中に第１、第２、第３及び第４電源供給端子（Ａ１，Ａ２，Ａ１’，Ａ２’）を取り付けられることを特徴とする電磁接触器。
【請求項８】
前記請求項のいずれか１つに記載の電磁接触器であって、着脱可能な立方体カバー（６２）が端子を受ける側と反対側の外被（１２または１３）を閉鎖するために設けられていることを特徴とする電磁接触器。
【請求項９】
前記請求項のいずれか１つに記載の電磁接触器であって、端子カバー（６１）が端子を受ける外被（１２または１３）用に設けられており、また取り付け具（５６）によりコイルの巻型に着脱可能に取り付けられた突出部（５５）に接触していることを特徴とする電磁接触器。
【請求項１０】
前記請求項６、８および９の１つに記載の電磁接触器であって、端子カバー（６１）が開口部（１４）および外被（１２または１３）の開口部（１９）の一部を閉鎖し、また連続カバー（６２）が開口部（１４）および端子を受ける側と反対側の外被（１２または１３）を閉鎖していることを特徴とする電磁接触器。
【請求項１１】
前記請求項５又は９に記載の電磁接触器であって、端子カバー（６１）が底部に突起（６１１）を有し、その縁端部が導体（５４ａ，５４ｂ）を上から挟み込むことを特徴とする電磁接触器。
【発明の詳細な説明】
【０００１】
【発明の属する技術分野】
本発明は電磁接触器であって、基本装置および一体に組み立てられた外被装置とによって形成され、電源電極とコイルを有するソレノイドとを収容した筐体を含み、コイル本体が一方の側に電源供給端子を有する電磁開閉器に関する。
【０００２】
【従来の技術】
先行技術の接触器の中には、コイルの電源供給端子は入力側または出力側のいずれか一方の側に配置されているものがある。コイルの端子は通常接触器の入力側にある。接触器や熱過負荷リレー等の電気装置を組合わせたときには、例えば、リレーが接触器の出力側にあることが好ましい場合に、使用者は接触器のコイルの端子と熱過負荷リレーの端子とを同一の側に纏めてそれらの検査を容易に行なえるようにすることが出来ないことがある。
【０００３】
従って、使用者はコイルの配線処置に関して選択の余地を有しない。接触器を回路遮断器と組み合わせ、また同時にそれぞれの端子をそれらの相互接続のために対応させるときには、これらの装置は１つの単位を形成し、またコイルの端子が回路遮断器に面する側にあるときに、これらは接近不可能になる。現在、使用者には接触器を設置する時点で、コイルの電源供給端子の位置に関して選択できる余地がない。３極接触器はその入力側と出力側で、接触器本体の外側に本体の横断壁の全幅にわたって規則的間隔で配置された３つの極端子を有している。コイルの２つの端子は、端子間の空間内かまたは端部の２つの領域の外側に、その配線のために接近可能であるように配置されている。４極接触器では３極接触器よりも更に１つ多い端子がその入力側と出力側にあり、その結果端子は３極接触器の各面積に対して相対的にずれる。したがって、端子は３極接触器の端子の外側の利用可能な空間と合致せず、またそのため端子の配線のために利用することができないので、３極接触器と同一のコイルを使用することが不可能である。そのため、それぞれの種類の接触器は２種類の異なるコイルを必要とし、経済的観点から不利益である。
【０００４】
【発明が解決しようとする課題】
したがって、本発明の目的は、電源供給端子が接触器の入力側または出力側のいずれの側にもあることができ、且つ接触器の種類に係わりなく端子に容易に接近可能な端子配置のコイルを備えた接触開閉装置を提供することにある。
【０００５】
【課題を解決するための手段】
本発明は筐体が基本装置と外被装置との間に、電源供給端子を受けるように適応された外被を設けた接触器であって、筐体が第１の外被に対して対称的に配置された第２の外被有し、第２の外被が基本装置と外被装置との間に同様に形成され、第１の外被と実質的に同一の断面を有し、コイルを巻いた後に、コイルの端子を設けた側を受けることができるように配置されており、端子を受ける側と反対側の外被が閉鎖されていることを特徴とする電磁接触器に関する。この特徴により、またコイルを電源供給端子が接触器の入力側または出力側のいずれかにあるように、取り付けることができる。コイル本体が前記電源供給端子と同一側に２つの追加の電源供給端子を有し、その各端子が別の２つの端子の１つと電気的に接続されていることが有利である。端子の間隔は、これら２対の端子の１つが、接触器が３極端子を有するときに利用可能であり、また第２の端子対が、接触器が４極端子を有するときに利用可能であるように、決定される。２対の端子を備えていること、および端子間の間隔によって、接触器が３極接触器または４極接触器のいずれであっても、端子の配線用にそのうち少なくとも２つ以上の端子に接近することができる。実施例および添付図面に示した実施態様を参照して、以下に本発明を詳細に説明する。
【０００６】
【発明の実施の形態】
図１に示した接触器装置は、基本装置２と、基本装置に組み立てられた外被装置３と、外被装置の上部に取り付け横方向の仕切り壁１１と縦方向仕切り壁１１ａを限定するカバー４とにより構成された筐体１０を含んでいる。外被装置３は、１つの接触器系統の電流を通電もしくは遮断するようにそれぞれ適応された電源極を収容している。各極は二重接点型であって、接点支持体により支持された接触ブリッジの２つの可動接点と共働する２つの固定接点が組み込まれている。固定接点は、接点本体から横方向の仕切り壁１１の開口部を通して突出している直線状端子に接続されている。基本装置２は、レールに装置を固定するための裏面板を有する。基本装置は、図２に見ることができる作動用ソレノイドを含む引き外しアッセンブリを収容している。作動用ソレノイドは、固定磁気回路を形成するＥ型コア５０と、磁気回路の中心分枝５０ａを中心とし電源装置に接続されたコイル５１と、可動磁気回路を形成し接点支持具に機械的に連結されたＥ型の可動接極子５２とを有する。ソレノイドのコイル５１は、外面にコイル用電線を巻くコイル本体５３を形成するコイル巻き型を有している。コイル本体の中心の開口部５３ａにより、コイルをＥ型固定磁気回路の中心分枝５０ａ上に固定することができる。コイル本体は、電気的に内部接続された電源供給端子Ａ１、Ａ１’およびＡ２、Ａ２’をそれぞれ一端に於いて支持した２つの並列導体５４ａ５４ｂを支持している。この２つの導体の他端は、コイルのそれぞれの端部にコイルに加電するように接続されている。基本装置２のコイル用の外被６０は対称形状である。実質的に同一の断面の第１の外被１２と第２の外被１３とが、基本装置と外被装置との間に設けられて、接触器筐体の横方向の仕切り壁１１に対して相対的に突出している。これらは、コイルの巻き型および、特に端子を支持する導体５４ａと５４ｂとを受けるように適応されている。２つの外被１２と１３、および外被６０の対称的な構成により、コイルをｘｘ’軸の回りを１８０°回転させて、端子が外被１２内の入力側と外被１３内の出力側のいずれかに在るようにすることができる。外被１２および１３は、それぞれ上面、縦方向の仕切り壁１５および両側面の横方向の仕切り壁１６に開口部１４を有する。隔壁１７が、電源供給端子用の個々の仕切り空間１８を形成するために、各外被内に設けられている。縦方向の仕切り壁１５の開口部１９により、個々の仕切り空間に接近して、端子に導体心線を挿入することができる。端子カバー６１が種々の端子上に取り付けられており、また開口部１４を閉鎖し、また端子を受ける外被１２および１３の開口部１４を閉鎖し、また開口部１９を部分的に閉鎖し、その結果使用者は導体心線を挿入するために端子Ａ１，Ａ２，Ａ１’及びＡ２’のねじのみに接近することができる。端子カバー６１は取り付け具５６によって着脱可能にコイルの巻き型に取り付けられた突出部５５に取り付けられている。突出部５５の側面は仕切空間１８の隔壁１７を支えている。底部には突起があり、その端部で導体５４ａ、５４ｂを上から挟み込んで導体を機械的に保持している。着脱可能な立方体のカバー６２が、端子を受ける外被に対向する外被１２または１３���開口部１４および開口部１９を閉鎖して、コイルへの接近を防止する。このカバー６２は、接触器の筐体を閉めたときに開口部１４を覆うように取り付けられる。別法として、カバー６１についてと同じ方法で、コイルの巻き型に着脱可能に取り付けられた突出部を、カバー６２を支持するように使用することができる。図４に接触器１と３極回路開閉器７の組合わせを示す。接触器と回路開閉器の端子は、一緒に接続され、この２つの装置が一体に構成されているように共働する。したがってこの装置では、コイル端子が回路遮断器に面している側にあるときには、コイル端子への接近が防止される。この場合には、端子が回路遮断器と反対側にあり、したがって図に示したように、接近可能なようにコイルを回転することが可能である。図５に、図４と、それに追加される熱過負荷リレーとの組合わせを示す。このリレーは、接触器の端子３０と熱過負荷リレーのピンとの間を電気的に接続する接続装置９を有する接触器の出力側にある。接続装置は接触器と接触しておらず、したがってまたコイル端子に接近するための十分な空間がある。図６および図７にそれぞれ３極接触器および４極接触器を示す。各端子対Ａ１、Ａ２およびＡ１’，Ａ２’によって、コイルと端子の２つの可能な位置との電気的な接続が得られる。図６および図７に、３極接触器および４極接触器を、それぞれ示す。各端子対Ａ１，Ａ２およびＡ１’，Ａ２’により、それぞれコイルの電気的接続に２つの可能な端子位置が得られる。３極接触器の場合には、３つの端子間の空間内で接近可能な端子は、Ａ１およびＡ２の端子である。４極接触器の場合には、端子間の空間内で接近可能な端子は、Ａ１’およびＡ２’の端子であって、その他の端子はこれら端子によって部分的に隠されている。
【図面の簡単な説明】
【図１】本発明の３極接触器の斜視図である。
【図２】ソレノイドを含む接触器の基本装置の分解斜視図である。
【図３】端子カバーと連結したコイル巻き型の側面図である。
【図４】３極接触器と回路遮断器の組合わせを示す図である。
【図５】３極接触器、回路遮断器および熱過負荷リレーの組合わせを示す図である。
【図６】３極接触器の正面図である。
【図７】４極接触器の正面図である。
【符号の説明】
２  基本装置
３  外被装置
１０  筐体
１２  第１の外被
１３  第２の外被
１７  隔壁
１８  仕切り空間
１９  開口部
５１  コイル
５３  コイル本体
５４ａ，５４ｂ  並列導体
５５  突出部
６１  端子カバー
６２  着脱可能な立方体カバー
６１１  突起
Ａ１，Ａ２，Ａ１’，Ａ２’  電源供給端子
【図１】
0003748929.tif 000002
【図２】
0003748929.tif 000003
【図３】
0003748929.tif 000004
【図４】
0003748929.tif 000005
【図５】
0003748929.tif 000006
【図６】
0003748929.tif 000007
【図７】
0003748929.tif 000008